(57)【要約】  GMSCのようなホーム網の第１のノードで、被呼端末への呼設定を要求する要求メッセージ(50)を受信すると、被呼端末が位置する移動交換局のアドレスを取得するためにHLRのようなホーム網の第２のノードにメッセージ(52)が送信される。第２のノードから応答(58)を受信すると、第１のノードは、被呼端末が在圏網に存在すると判定されれば不在着信通知サービスを開始(60)する。そして第１のノードは被呼端末への呼設定を開始(64)し、呼転送が行われることなく呼が開放されていることが通知(66)されれば、不在着信通知サービスに呼が開放されていることを通知(68)する。不在着信通知サービスは、被呼端末に不在着信を通知するメッセージが送信される(74)ようにする(72)。【選択図】  図３
2013513979.tif 000002
【特許請求の範囲】
【請求項１】
移動体通信網において呼を処理する方法であって、
ホーム網の第１のノードで、被呼端末への呼設定を要求する要求メッセージ(50)を受信する工程と、
前記被呼端末が位置する移動交換局のアドレスを取得するため、前記ホーム網の第２のノードにメッセージ(52)を送信する工程と、
前記第２のノードから応答(58)を受信すると、前記被呼端末が在圏網に存在すると判定されれば不在着信通知サービスを開始する(60)工程と、
前記被呼端末への呼設定(64)を開始する工程と、
呼転送が行われずに前記呼が解放されていることが通知される(66)と、前記呼が解放されていることを前記不在着信通知サービスに通知する(68)工程と、
前記不在着信通知サービスが、前記被呼端末に不在着信を通知するメッセージが送信されるようにする(72)工程と、を有することを特徴とする方法。
【請求項２】
移動機ローミング番号が前記ホーム網に属さないコードを有する場合に、前記被呼端末が在圏網に存在すると判定する工程をさらに有することを特徴とする請求項１記載の方法。
【請求項３】
前記コードが国コードであることを特徴とする請求項２記載の方法。
【請求項４】
前記コードがオペレータコードであることを特徴とする請求項２または請求項３記載の方法。
【請求項５】
前記被呼端末にメッセージが送信されるようにする前記工程が、ショートメッセージサービスメッセージを前記被呼端末に送信させる要求を、ショートメッセージサービスセンタに送信する工程を有することを特徴とする請求項１乃至請求項４のいずれか１項に記載の方法。
【請求項６】
移動体通信網において呼を処理する方法であって、
ホーム網の第１のノードで、被呼端末に呼設定を要求する要求メッセージを受信する工程と、
前記被呼端末が位置する移動交換局のアドレスを取得するため、前記ホーム網の第２のノードにメッセージを送信する工程と、
前記第２のノードから応答を受信すると、前記被呼端末が在圏網に存在すると判定されれば不在着信通知サービスを開始する工程と、
前記被呼端末への呼設定を開始する工程と、
呼転送が行われずに前記呼が解放されていることが通知されると、前記不在着信通知サービスが前記被呼端末に不在着信を通知するメッセージを送信させるように、前記呼が解放されていることを前記不在着信通知サービスに通知する工程と、を有することを特徴とする方法。
【請求項７】
移動交換局であって、
ホームセルラ網の無線アクセス網、インテリジェント網アーキテクチャのサービスコントロールポイント、前記ホームセルラ網のホームロケーションレジスタ、および在圏セルラ網の少なくとも１つの移動交換局と接続するためのインタフェースと、
プロセッサとを有し、前記プロセッサが、
被呼端末への呼設定を要求する要求メッセージを受信すると、前記移動交換局が、前記被呼端末が位置する移動交換局のアドレスを取得するために前記ホームロケーションレジスタにメッセージを送信し、
前記ホームロケーションレジスタから応答を受信し、前記応答から前記被呼端末が在圏網に存在すると判定されると、前記移動交換局が、前記サービスコントロールポイントに不在着信通知サービスを開始するメッセージを送信し、
前記移動交換局が前記被呼端末への呼設定を開始し、
呼転送が行われずに前記呼が解放されていることが通知されると、前記不在着信通知サービスが前記被呼端末に前記不在着信を通知するメッセージを送信させるように、前記呼が解放されていることを前記移動交換局が前記不在着信通知サービスに通知する、ように構成されることを特徴とする方法。
【請求項８】
移動体通信網において呼を処理する方法であって、
被呼端末が在圏網に存在すると判定された場合に、不在着信通知サービスを開始するためのコマンドを移動交換局からホーム網のサービス制御ノードが受信する工程と、
呼転送が行われずに前記呼が解放されていることの通知を受信する工程と、
前記被呼端末に不在着信を通知するメッセージが送信されるようにする工程と、を有することを特徴とする方法。
【請求項９】
前記被呼端末にメッセージが送信されるようにする前記工程が、ショートメッセージサービスメッセージを前記被呼端末に送信させる要求を、ショートメッセージサービスセンタに送信する工程を有することを特徴とする請求項８に記載の方法。
【請求項１０】
移動体通信網におけるサービスコントロールポイントであって、
ホームセルラ網の移動交換局およびショートメッセージサービスセンタと接続するためのインタフェースと、
プロセッサとを有し、前記プロセッサが、
被呼端末が在圏網に存在すると判定された場合、コマンドを前記移動交換局から受信すると、前記サービスコントロールポイントが不在着信通知サービスを開始し、
呼転送が行われずに前記呼が解放されている場合に、前記サービスコントロールポイントが前記移動交換局から通知を受信し、
ショートメッセージサービスメッセージが前記被呼端末に送信されるようにする要求を、前記サービスコントロールポイントが前記ショートメッセージサービスセンタに送信する、ように構成されることを特徴とするサービスコントロールポイント。
【請求項１１】
移動体通信網において呼を処理する方法であって、
位置更新中、前記移動体通信網のホームロケーションレジスタにおいて、
第１の端末が在圏網に存在することが判明し、かつ呼転送番号が予め定められた番号と等しくないことが判明した場合、前記呼転送番号を含んだ加入者データを前記在圏網のビジタロケーションレジスタにコピーする工程と、
前記第１の端末が在圏網に存在することが判明し、かつ呼転送番号が前記予め定められた番号と等しいことが判明した場合、前記呼転送番号を除いた前記加入者データを前記在圏網のビジタロケーションレジスタにコピーする工程と、
呼設定中に、
前記移動体通信網の第１のノードで、前記第１の端末への呼設定を要求する要求メッセージを受信する工程と、
前記被呼端末が位置する移動交換局のアドレスを取得するため、前記移動体通信網の前記ホームロケーションレジスタにメッセージを送信する工程と、
前記ホームロケーションレジスタから応答を受信すると、前記第１の端末が在圏網に存在すると判定されれば不在着信通知サービスを開始する工程と、
前記第１の端末への呼設定を開始する工程と、
呼転送が行われずに前記呼が解放されていることが通知されると、前記呼が解放されていることを前記不在着信通知サービスに通知する工程と、
前記不在着信通知サービスが、不在着信を通知するメッセージが前記第１の端末に送信されるようにする工程と、を有することを特徴とする方法。
【請求項１２】
前記予め定められた番号が、ボイスメールシステム番号であることを特徴とする請求項１１に記載の方法。
【請求項１３】
移動体通信網における端末位置を確認する方法であって、
位置更新中、前記移動体通信網のホームロケーションレジスタにおいて、
前記端末が在圏網に存在することが判明し、かつ呼転送番号が予め定められた番号と等しくないことが判明した場合、前記呼転送番号を含んだ加入者データを前記在圏網のビジタロケーションレジスタにコピーする工程と、
前記端末が在圏網に存在することが判明し、かつ呼転送番号が前記予め定められた番号と等しいことが判明した場合、前記呼転送番号を除いた前記加入者データを前記在圏網のビジタロケーションレジスタにコピーする工程と、を有することを特徴とする方法。
【請求項１４】
前記予め定められた番号が、ボイスメールシステム番号であることを特徴とする請求項１３に記載の方法。
【請求項１５】
移動体通信網のためのホームロケーションレジスタであって、
前記移動体通信網の移動交換局および少なくとも１つの他の移動体通信網のビジタロケーションレジスタと接続するためのインタフェースと、
プロセッサとを有し、前記プロセッサが、
端末についての位置更新中に、
前記端末が在圏移動体通信網に存在することが判明し、かつ呼転送番号が予め定められた番号と等しくないことが判明した場合、前記ホームロケーションレジスタが、前記呼転送番号を含んだ、前記端末についての加入者データを前記在圏移動体通信網のビジタロケーションレジスタにコピーし、
前記端末が在圏移動体通信網に存在することが判明し、かつ呼転送番号が予め定められた番号と等しいことが判明した場合、前記ホームロケーションレジスタが、前記呼転送番号を除いた、前記端末についての前記加入者データを前記在圏移動体通信網のビジタロケーションレジスタにコピーする、ように構成されることを特徴とするホームロケーションレジスタ。
【発明の詳細な説明】
【技術分野】
【０００１】
本発明は移動体通信網に関し、特にはローミング加入者への不在着信通知方法に関する。
【背景技術】
【０００２】
セルラ通信システムのような電気通信システムでは、ボイスメールシステムが広く用いられている。発呼加入者（Ａパーティ）が被呼加入者（Ｂパーティ）へ発呼した際にＢパーティが話中や電波の届かない範囲にいて応答しないと、呼は関連する通信網のボイスメールシステムへ転送される。そして、移動網オペレータで用いられる多くのボイスメールシステムは、不在着信に関して知らせるショートメッセージシステム(SMS)をＢパーティに送信し、それによってＢパーティが折り返し発呼することを可能にしている。
【０００３】
移動網は通常限られた地理的サービス範囲を有する。そして、最大のアクセス性を実現するために、移動網オペレータは自身と異なる地理的範囲をカバーする他の移動網オペレータとのローミング契約を有するのが一般的である。これにより、被呼加入者がホーム網の地理的サービス範囲外にいる場合であっても被呼加入者に対して呼が到達可能となる。しかし、Ｂパーティがローミング中に不在着信が発生した場合に、呼をユーザのホーム網内のボイスメールシステムに転送する上述したような処理はいくぶん高額になるであろう。
【０００４】
既知の一代替方法は、エリクソン社の「INおよびNGINアプリケーションフォートポリオ」に簡単に説明されているローカルボイスメールデポジット(LVD)手法である。この手法を用いることで、Ｂパーティがローミング中に不在着信があった場合、呼は局所的にボイスメールへ転送される。この手法の長所は、ローカルな呼転送は料金が掛からないことである。しかし、この手法は後払いの加入者についてのみ簡単な方法で機能する。しかし、この手法はプリペイド加入者に対しては非常に複雑であり、その結果、多くのオペレータはプリペイド加入者に対してＬＶＤを用いていない。
【０００５】
その代わりに、オペレータは単純にＢパーティがローミングしている際には呼の転送を無効にしているかもしれない。つまり、呼はボイスメールに転送されず、Ｂパーティに不在着信を通知するＳＭＳメッセージも送信されない。これはシステムのユーザ利便性を低下させるだけでなく、ローミング加入者が不在着信を通知するＳＭＳメッセージに応答して折り返しの発呼を行わないことから、網のオペレータの収益を損なわせる。
【発明の概要】
【０００６】
従って本発明は、上述したシステムの問題点の少なくとも一部を緩和しながら、ローミング加入者が不在着信通知を受けることを可能にするシステムの提供を目的とする。
【０００７】
本発明の第１の見地によれば、移動体通信網において呼を処理する方法であって、 ホーム網の第１のノードで、要求メッセージを受信する工程と、被呼端末へ呼設定を要求する工程と、前記被呼端末が位置する移動交換局のアドレスを取得するために前記ホーム網の第２のノードにメッセージを送信する工程とを有する方法が提供される。前記第２のノードから応答を受信すると、前記第１のノードは、前記被呼端末が在圏網に存在すると判定されれば不在着信通知サービスを開始する。そして前記第１のノードは被呼端末への呼設定を開始し、呼転送が行われることなく前記呼が解放されていることが通知されれば、前記不在着信通知サービスに呼が解放されていることを通知する。前記不在着信通知サービスは、前記被呼端末に不在着信を通知するメッセージが送信されるようにする。
【０００８】
これにより、在圏網が関与する呼転送を必要とせずに、ローミング加入者が不在着信の通知を受けることが可能となるという効果が得られる。
【０００９】
前記被呼端末が在圏網に存在することを判定する前記工程は、移動機ローミング番号が、前記ホーム網に属さない、国コードやオペレータコードといったコードを含むかどうかを判定することによって実現することができる。
【００１０】
前記被呼端末にメッセージが送信されるようにする前記工程は、ショートメッセージサービスメッセージを前記被呼端末に送信させる要求を、ショートメッセージサービスセンタに送信する工程を有してもよい。
【００１１】
本発明の別の見地によれば、前記第１の見地に係る方法の工程を含んだ、前記第１のノードで実行される方法、および前記方法を実行するように構成される移動交換局が提供される。
【００１２】
本発明の別の見地によれば、移動体通信網のサービス制御ノードにおいて呼を処理する方法であって、被呼端末が在圏網に存在すると判定された場合に、不在着信通知サービスを開始するためのコマンドを移動交換局から受信する工程を有する方法が提供される。続いて、呼転送が行われることなく前記呼が解放されていることを受信すると、前記被呼端末に不在着信を通知するメッセージが前記被呼端末に送信させられる。
【００１３】
前記被呼端末にメッセージが送信されるようにする前記工程は、ショートメッセージサービスメッセージを前記被呼端末に送信させる要求を、ショートメッセージサービスセンタに送信する工程を有してもよい。
【００１４】
本発明の別の見地によれば、前記方法を実行するように構成されたサービスコントロールポイントが提供される。
【００１５】
本発明のさらに別の見地によれば方法が提供され、この方法により、位置更新中、第１の端末が在圏網に存在することが判明し、かつ呼転送番号が予め定められた番号と等しくないことが判明した場合、前記呼転送番号を含んだ加入者データが前記在圏網のビジタロケーションレジスタにコピーされる。前記第１の端末が在圏網に存在することが判明し、かつ呼転送番号が前記予め定められた番号と等しいことが判明した場合、前記呼転送番号を除いた前記加入者データが前記在圏網のビジタロケーションレジスタにコピーされる。
【００１６】
前記予め定められた番号は、ボイスメールシステム番号であってよい。
【００１７】
本発明の他の見地によれば、前記方法を実行するように構成された、移動体通信網用のホームロケーションレジスタが提供される。
【図面の簡単な説明】
【００１８】
【図１】本発明の一見地に係る電気通信網を示す図である。
【図２】図１に示した網のホームロケーションレジスタで実行される、本発明の一見地に係る処理を示すフローチャートである。
【図３】本発明の一見地に係る、図１の網内のメッセージフローを示す図である。
【図４】図１に示した網のゲートウェイ移動交換局で実行される、本発明の一見地に係る処理を示すフローチャートである。
【図５】図１に示した網のサービスコントロールポイントで実行される、本発明の一見地に係る処理を示すフローチャートである。
【発明を実施するための形態】
【００１９】
図１は、セルラ電気通信網１０の一部を本質的に従前と同様の詳細さで示しており、従って本発明の理解に必要な範囲でのみ説明される。
【００２０】
既知の通り、網１０はゲートウェイ移動交換局(GMSC)１２を含み、ゲートウェイ移動交換局１２は、自身の動作を制御するためのプロセッサ１２ａと、他のネットワークノードと必要に応じて接続するためのインタフェース回路とを有している。呼の経路に存在するよう、GMSC１２はセルラ網の無線アクセス網（不図示）に接続される。GMSC１２は、例えば以下に詳細を説明するような網の様々な付加機能の一翼を担うことが可能な、インテリジェント網アーキテクチャ内のサービスコントロールポイント(SCP)１４に接続される。SCP１４はその動作を制御するためのプロセッサ１４ａと、適切なインタフェース回路１４ｂとを有し、加入者間のショートメッセージサービス(SMS)メッセージを処理可能なショートメッセージサービスセンタ(SMS-C)１６に接続される。
【００２１】
網１０には、１つ以上のホームロケーションレジスタ(HLR)１８が設けられる。HLR１８はその動作を制御するためのプロセッサ１８ａと、被呼端末が現在登録されている在圏移動交換サービス局(VMSC)の位置情報（すなわちネットワークアドレス）を含むデータを記憶するためのデータベース１８ｂと、他のネットワークノードと接続するためのインタフェース回路１８ｃとを有する。従って、例えばセルラ網は通常、無線アクセス網の個々の基地局によって受け持たれる多数のセルを含み、個々のアクティブなユーザ機器（すなわち、携帯電話機および他のモバイル機器の各々）は、それら基地局の１つとのコネクションを有する。GMSC１２が被呼端末への呼を受信すると、GMSC１２はHLR１８から必要な情報を読み出すことができ、それによって呼をセルラ網の適切なVMSCへルーティングすることができる。
【００２２】
典型的なセルラ網は例えば１つの国、または国の一部といった、限られた地理的サービス範囲を有し、この範囲内にはGMSC１２のような複数のGMSCと、HLR１８のような複数のＨＬＲを含んでいる。
【００２３】
ユーザは他の網の地理的サービス領域にローミングすることも可能であり、図１は１つの他の網において、自身のサービス領域にローミングしているユーザ機器とともに呼を処理するためのネットワークインフラの一部を示している。具体的には、図１は上述の他の網の在圏移動交換局(VMSC)およびビジタロケーションレジスタ(VLR)を示している。図１は、VMSC/VLRを１つのブロック２０として示しているが、必要なら関連する機能を個別の機器において提供してもよいことが理解されよう。
【００２４】
図２は、移動端末が最初に網にアタッチしている際もしくは移動端末が位置更新手順を実行中にHLRで実行される、本発明の一見地に係る手順を示すフローチャートである。
【００２５】
具体的には、ステップ３０で、HLRはアタッチ手順または位置更新手順が実行されていることを判別する。ステップ３２でHLRは、従前通り、移動端末が現在位置する移動交換局(MSC)の位置を特定する。特にステップ３２では、そのMSCに関連付けられたVLRを特定する。ステップ３４では、VLRがホームプライベート移動通信網(HPLMN)に位置するかどうか、またはVLRアドレスが本発明に係るサービスを提供しているオペレータの網の外部のアドレスかどうかが判別される。ステップ３４でVLRがHPLMN内に存在すると判定されれば、処理はステップ３６に移行し、従前通り加入者データがHLRからVLRにコピーされる。
【００２６】
ステップ３４でVLRがHPLMN内には存在しない、すなわち、加入者がローミング中であると判定された場合、処理はステップ３８に移行する。ステップ３８では、加入者にボイスメールシステム番号でない呼転送番号が設定されているかどうかが判別される。ボイスメールシステム番号でない呼転送番号が加入者に設定されている場合、処理は上述したステップ３６に移行し、従前通り加入者データがHLRからVLRにコピーされる。
【００２７】
しかし、ステップ３８で、利用可能な呼転送番号がボイスメールシステム番号であると判定された場合には、処理はステップ４０に移行する。ステップ４０では、この呼転送番号以外の加入者データがHLRからVLRにコピーされる。
【００２８】
このように、本発明の本実施形態によれば、呼転送番号がボイスメールシステム番号に等しく、かつ加入者が自身のHPLMN外にローミング中であれば、HLR１８は呼転送番号をVLRにコピーしない。
【００２９】
図３は、本発明の一見地に係る処理における、呼の設定試行時のメッセージフローを示す図である。セルラ網がGSM（登録商標）(Global System for Mobile communication)、UMTS(Universal Mobile Telecommunications System)、またはIN(Intelligent Network)アーキテクチャを用いる他のセルラ網であり、網のノード間のメッセージが既知のCAMEL(Customised Applications for Mobile networks using Enhanced Logic)システムに従ったものである場合の特定の実施形態に関して本発明を説明する。従って、図３は、ゲートウェイ移動交換局(GMSC)１２に位置するサービス交換機能(SSF)と、ホームロケーションレジスタ(HLR)１８と、サービスコントロールポイント(SCP)１４に配置された不在着信SMSローイング加入者サービス(MCSRS)と、ショートメッセージサービスセンタ(SMS-C)１６と、他の網の在圏移動交換局(VMSC)／ビジタロケーションレジスタ(VLR)２０との間におけるメッセージフローを示している。
【００３０】
発呼加入者（Ａパーティ）から被呼加入者（Ｂパーティ）への呼を設定するための手順は、無線アクセス網からGMSC１２に送信される初期アドレスメッセージ(IAM)５０から始まる。従前通り、GMSC１２は提供加入者情報(PSI)メッセージ５２をHLR１８に送信する。そして、被呼加入者が他の網にローミング中であることを当該他の網から通知されているHLR１８は、移動機ローミング番号(MSRN)を取得するため、提供加入者情報(PSI)メッセージ５４を他の網のVMSC/MLR２０に送信する。
【００３１】
他の網のVMSC/MLR２０は、MSRNを含んだ提供加入者情報結果(PSI-res)メッセージ５６をHLR１８に返送する。MSRNは現在の在圏国コード、VNDC(visitor national destination code)、現在のＭＳＣの識別情報および加入者番号を含んでいる。HLR１８はさらなるPSI-resメッセージ５８をGMSC１２に返送する。
【００３２】
GMSC１２は返送されたMSRNを受信すると、図４に示す手順を実行する。具体的には、ステップ８０でMSRNを受信すると、GMSC１２はステップ８２でMSRNが自身の網オペレータに属さない国コードおよび／またはオペレータコードを含み、Ｂパーティがローミング中であることを示すかどうかを判別する。ステップ８２でＢパーティがローミング中でないと判定されれば、手順はステップ８４に移行し、従前の方法で呼設定を進める。しかし、ステップ８２でＢパーティがローミング中であると判定されれば、手順はステップ８６に移行し、GMSC１２はIN(Intelligent Networks)ソリューション、すなわち不在着信SMSローミング加入者サービス(MCSRS)を起動する。なお、本発明の本実施形態では、このソリューションはGMSCにおけるローミング呼転送レグ上で起動される。
【００３３】
具体的には、GMSC１２が初期検出ポイント(IDP)メッセージ６０をSCP１４に送信することによってMCSRSを起動させる。SCP１４は、呼設定を継続し、その状態をBCSM(Basic Call State Model)において報告するようにGMSC１２に依頼するメッセージ、すなわち、継続及びBCSM報告要求(CUE+RRB)メッセージ６２をGMSC１２に送信することによって応答する。このようにして、MCSRSサービスは呼設定の結果を監視する。
【００３４】
従前通り、GMSC１２は初期アドレスメッセージ(IAM)６４をＢパーティのVMSC２０に送信して呼の設定を試みる。Ｂパーティが話中、無応答、または電波の届かない場所にいる場合、VMSCは呼転送番号が設定されているかどうか確認するため、VLRを調べる。
【００３５】
図２に関して説明したように、呼転送番号はHLRによって設定されていないので、VMSCは（Ｂパーティが話中、電波の届かない場所にいる、または呼に応答がなかったかどうかを特定する）従前の原因値を含んだ、従前の解放(REL)メッセージ６６をGMSC１２に送信して呼を解放するであろう。
【００３６】
GMSC１２はRELメッセージ６６を受信すると、標準のイベント報告BCSM(ERB)メッセージ６８を介してMCSRSサービスに解放を報告する。さらに、解放はRELメッセージ７０としてＡパーティに送信され、呼が消去される。
【００３７】
図５は、この時点でサービスコントロールポイント(SCP)１４に配置されているIN不在着信SMSローミング加入者サービス(MCSRS)の応答を示している。ステップ９０においてMCSRSはERBメッセージ６８を受信する。これに応答してステップ９２でMCSRSは、モバイル発転送SMS(MOFSMS)メッセージ７２をショートメッセージサービスセンタ(SMS-C)１６に送信し、SMS-CがSMS７４をＢパーティへ送信するようにする。SMS７４はＢパーティに不在着信を通知し、特には国際フォーマットでＡ番号を含んでいる。そのため、Ｂパーティは必要に応じてＡパーティに折り返しの発呼をすることが可能である。
【００３８】
このように、Ｂパーティがローミング中の場合、呼転送は無効化され、その結果Ｂパーティが応答しなければ網は呼を解放するであろう。呼の解放は傍受され、いずれにせよ不在着信SMSがＢパーティに送信される。
【００３９】
Ｂパーティが後払いの加入者であることを仮定して手順を説明した。しかし、Ｂパーティが前払いの加入者の場合、IAM５０を受信すると、GMSC１２が終端INカテゴリキー(TICK)または終端CAMEL加入者情報(T-CSI)に基づいてまずプリペイドサービスを起動するように変更するだけで足りる。そして、プリペイドサービスが呼を設定する場合、上述したようにGMSCがMCSRSサービスを起動するであろう。既に述べたように、Ｂパーティが話中、無応答、または電波の届かない場所にいる場合、呼は解放される。その結果、プリペイドサービスはその呼に課金しないであろう。
【００４０】
このように、オペレータが簡単に使用でき、オペレータが課金可能な呼を潜在的に増やしながら、後払い加入者および前払い加入者の両方について等しく機能し、拡張された加入者用サービスを提供する方法を説明した。
【図１】
2013513979.tif 000003
【図２】
2013513979.tif 000004
【図３】
2013513979.tif 000005
【図４】
2013513979.tif 000006
【図５】
2013513979.tif 000007
【国際調査報告】
2013513979.tif 000008
2013513979.tif 000009
2013513979.tif 000010
2013513979.tif 000011
2013513979.tif 000012